(57)【特許請求の範囲】
【請求項１】
防水パンと壁パネルを固定する壁固定具において、壁固定具は、防水パンの周縁に設けられた立設部に引っ掛け固定される床嵌合部と、壁パネルの側端部に設けられた中空状の後面壁を挟み込んで保持する挟持部と、床嵌合部と挟持部を繋ぐ連結部を備えており、
床嵌合部は、後壁と頂壁と前壁を備えており、
前壁は、頂壁から下方に延び下端は自由端となるように形成されており、
頂壁および前壁の横幅方向の中央において、頂壁で前方に延びさらに前壁で下方に延びるスリットを備えていることを特徴とする壁固定具。
【請求項２】
請求項１に記載の壁固定具において、連結部は床嵌合部の上面から壁パネルに向かって形成され、連結部には壁パネルに近づくに従って下方へ傾斜する傾斜面が設けられていることを特徴とする固定具。
【請求項３】
請求項１又は２に記載の壁固定具において、壁固定具は、挟持部から壁パネルと反対方向に延びて、立設部と当接する突張部を備えていることを特徴とする固定具。
【請求項４】
請求項１から３のいずれかに記載の壁固定具において、立設部の後面に当接する床嵌合部の後壁側には、立設部に向かって傾斜した抜け止め部を備えていることを特徴とする固定具。
【請求項５】
請求項４に記載の壁固定具において、抜け止め部は上部が立設部に向かって傾斜して形成され、上部が尖った略三角形状に形成されていることを特徴とする固定具。  
【発明の詳細な説明】
【技術分野】
【０００１】
本発明は、防水パンと壁パネルを固定する壁固定具に関するものである。
【背景技術】
【０００２】
従来、防水パンに壁パネルを固定する固定具であって、防水パンの立設部に引っ掛けて固定し、壁パネルの柱材の下端部を支持して固定する固定具は従来技術として知られている（特許文献１〜３参照）。
【０００３】
また、防水パンに壁パネルを位置決めして固定する構成として、図８（ａ）〜（ｃ）に示すような位置決め構造７０が知られている。位置決め構造７０は、次のとおりである。防水パン１の周縁に設けられた立設部３の前方に壁パネル２を載置する載置部７１が形成されている。
【０００４】
この載置部７１に、孔７２が形成されており、この孔７２に樹脂製で円柱形状の位置決め具７５が起立するように装着されている。壁パネル２の側端部に設けられた柱材８を、載置部７１に載置し、位置決め具７５を柱材８の中空部９内に下方から嵌合させる。これによって、壁パネル２は、防水パン１の周縁に位置決めされて固定される。
【先行技術文献】
【特許文献】
【０００５】
【特許文献１】実開平４−１１９５６５号公報
【特許文献２】特許第３６０１４８２号公報
【特許文献３】特許第５４６９４４７号公報
【発明の概要】
【発明が解決しようとする課題】
【０００６】
特許文献１〜３に示す上記従来技術では、固定具を防水パンの立設部に引っ掛けて固定しても、必ずしも安定して固定できない、そして柱材の下端部を装入しにくい等の課題がある。
【０００７】
また、図８に示す位置決め構造７０では、防水パン１の立設部３の載置部７１に孔７２を形成し位置決め具７５を装着する必要上、またこの孔７２からの漏水防止を図るために、載置部７１の肉厚を大きくする必要がある。その結果、使用材料が増加し、余分な成形時間を要し、肉厚を大きくすることにより、硬化収縮が大きくなり割れ等、成形性悪化の問題が生じる。
【０００８】
ところで、近年、壁パネル２およびその柱材８の厚さが薄く形成される傾向があるが、図８に示すように、柱材８の下端部に位置決め具７５を装入して支持する構造では、柱材が薄壁化されると、固定具を装入するための十分な厚さを確保できないという問題も生じる。
【０００９】
本発明は、上記従来の問題を解決することを目的とし、防水パネルの立設部に壁パネルの柱材を安定して確実に固定する構造の壁固定具を実現することを課題とする。
【課題を解決するための手段】
【００１０】
本発明は上記課題を解決するために、防水パンと壁パネルを固定する壁固定具において、壁固定具は、防水パンの周縁に設けられた立設部に引っ掛け固定される床嵌合部と、壁パネルの側端部に設けられた中空状の後面壁を挟み込んで保持する挟持部と、床嵌合部と挟持部を繋ぐ連結部を備えており、床嵌合部は、後壁と頂壁と前壁を備えており、前壁は、頂壁から下方に延び下端は自由端となるように形成されており、頂壁および前壁の横幅方向の中央において、頂壁で前方に延びさらに前壁で下方に延びるスリットを備えていることを特徴とする壁固定具を提供する。
【００１１】
連結部は床嵌合部の上面から壁パネルに向かって形成され、連結部には壁パネルに近づくに従って下方へ傾斜する傾斜面が設けられていることが好ましい。
【００１２】
壁固定具は、挟持部から壁パネルと反対方向に延びて、立設部と当接する突張部を備えていることが好ましい。
【００１３】
立設部の後面に当接する床嵌合部の後壁側には、立設部に向かって傾斜した抜け止め部を備えていることが好ましい。
【００１４】
抜け止め部は上部が立設部に向かって傾斜して形成され、上部が尖った略三角形状に形成されていることが好ましい。
【発明の効果】
【００１５】
本発明によれば、挟持部で壁パネルの側端部に設けられた中空状の後面壁を挟み込み、床嵌合部を防水パンの周縁に設けられた立設部に引っ掛けることによって、防水パネルの立設部に壁パネルを安定して確実に固定することが可能となる。
【図面の簡単な説明】
【００１６】
【図１】（ａ）は本発明に係る壁固定具によって取り付けられる壁パネルを、防水パン上に立設した状態を示す斜視図であり、（ｂ）は（ａ）におけるＢの部分の防水パン断面を示す図であり、（ｃ）は（ａ）におけるＣの部分の壁パネルの水平断面を示す図である。
【図２】本発明に係る壁固定具の実施例１を示す斜視図であり、（ａ）は前方側から見た図であり、（ｂ）は後方側から見た図である。
【図３】上記実施例１の壁固定具の前方から見た正面図であり、（ｂ）は（ａ）のＢ−Ｂ断面図である。
【図４】上記実施例１の壁固定具を防水パンの立設部に引っ掛けて取り付けた状態を示す図であり、（ａ）は前方側から見た斜視図であり、（ｂ）は壁パネルを取り付けた状態を示す平面図である。
【図５】上記実施例１の壁固定具に壁パネルを取り付ける状態を説明する図であり、（ａ）は取り付けるために壁パネルを下降させる状態を示し、（ｂ）は取り付けた状態を示す図である。
【図６】本発明に係る壁固定具の参考例を示す図であり、（ａ）は前方側から見た斜視図であり、（ｂ）は（ａ）のＢ−Ｂ断面図である。
【図７】（ａ）は上記参考例の壁固定具を防水パンの立設部に引っ掛けて取り付けた状態を示す斜視図であり、（ｂ）は壁パネルを取り付けた状態を示す垂直断面図である。
【図８】先行技術を説明する図であり、（ａ）は防水パンに位置決め材を取り付けた状態を示し、（ｂ）は壁パネルを取り付けた状態を示す垂直断面図であり、（ｃ）は壁パネルを取り付けた状態を示す平面図である。
【発明を実施するための形態】
【００１７】
本発明に係る壁固定具を実施するための形態を実施例に基づき図面を参照して、以下説明する。本明細書では、浴室側から浴室の壁を正面視して、手前側を前方と言い、壁の裏側を後方という。
【実施例】
【００１８】
（実施例１）
本発明に係る壁固定具の実施例１を図１〜図５において、説明する。図１（ａ）に示すように、浴室における防水パン１の周縁に、複数の壁パネル２（本実施例１では２つの壁パネル）が、防水パン１の周縁に設けられた立設部３（図１（ｂ）参照）に位置決めされて固定される。
【００１９】
壁パネル２は、図１（ｃ）に示すように、石膏ボード６と、石膏ボード６の浴室側の面および上面を覆う薄い金属板７（金属製の化粧板）と、壁パネル２の側端部に配置された中空状の柱材８と、から構成されている。  
【００２０】
柱材８は、図１（ｃ）にその水平断面を示すが、水平断面が矩形状に形成され中空部９を有する。柱材８は、石膏ボード６の側端に配置された状態で、壁パネル２の金属板７の側端部１１に巻かれるようにして固定されている。
【００２１】
本発明に係る壁固定具１４は、壁パネル２を防水パン１の周縁に設けられた立設部３に位置決めして固定するものである。防水パン１の立設部３の前面には、壁パネル２を、立設部３の長手方向における所定の位置に取り付けるために、壁固定具１４の固定位置の目印となる上下方向のケガキ線（図示せず）が付されている。
【００２２】
壁固定具１４は、その構成を図２〜５に示すが、防水パン１の周縁に設けられた立設部３に引っ掛けて固定される床嵌合部１５と、壁パネル２の柱材８の後面壁１０を挟み込んで保持する挟持部１６と、床嵌合部１５と挟持部１６を繋ぐ連結部１７と、を備えている。
【００２３】
床嵌合部１５は、図２（ｂ）および図３（ｂ）に示すように、後壁２１、頂壁２２および前壁２３を備えており、垂直断面で略∩型に形成されている。前壁２３は、防水パン１の立設部３の前面に当接し、その横幅方向の中央において頂壁２２から下方に延びるスリット２４を備え、正面視して全体として略U字型に形成されている（図２（ａ）参照）。
【００２４】
このスリット２４は、その中心又はその側縁に、防水パン１の立設部３に付されたケガキ線に合わせることで、立設部３に壁固定具１４を引っ掛けて固定する位置を決めることができる。従って、スリット２４の横幅は、少なくともスリット２４を通してケガキ線を正面から確認できる程度の横幅が必要である。
【００２５】
床嵌合部１５の後壁２１は、立設部３の後面に当接し、抜け止め部２５が形成されている。より詳細には、抜け止め部２５は、図２（ｂ）、図３（ｂ）に示すように、後壁２１の下端部から、立設部３に向かって上方に傾斜し、その上部２６が尖った略三角形状に形成されている。
【００２６】
挟持部１６は、前壁３１、底壁３２および後壁３３を備え、垂直断面が略U字型に形成されている。壁パネル２を壁固定具１４で防水パン１に固定する際には、前壁３１と後壁３３の間の挟持スペース３４内に、壁パネル２の柱材８の後面壁１０を受け入れて挟持する（図５（ｂ）参照）。 
【００２７】
図３（ｂ）に示すように、挟持部１６の前壁３１の上端側には、上方に向かって前方に傾斜した折り返し部３８が形成されている。
【００２８】
床嵌合部１５と挟持部１６を繋ぐ連結部１７は、正面視して左右に形成されている（図２（ａ）、図３（ａ）参照）。連結部１７は、床嵌合部１５の頂壁２２の上面から挟持部１６の後壁３３の上端部に向かって形成され、連結部１７には下方に向かって（挟持部１６の後壁３３の上端部に向かって）前方へ傾斜する傾斜面３９が設けられている。
【００２９】
換言すると、連結部１７は、床嵌合部１５の頂壁２２の上面から、壁固定具１４で保持される壁パネル２に近づくに従って下方へ傾斜する傾斜面３９が設けられている。この傾斜面３９と挟持部１６の前壁３１の折り返し部３８によって、挟持スペース３４は、上方に向けて拡開される構成となり、壁パネル２を降ろしながら、その中空状の柱材８の後面壁１０を挟持部１６に挿入して挟持させる際に、それぞれガイド面として機能する。
【００３０】
壁固定具１４は、突張部４０を備えている。突張部４０は、挟持部１６の後壁３３から壁パネル２と反対方向である後方に向けて延びるように形成されており、壁固定具１４を立設部３に引っ掛けると、立設部３と当接する。この実施例１では、突張部４０は、図２〜５に示すように、挟持部１６の後壁３３の左右側端から後方に向けて折り曲げられるようにして形成されている。
【００３１】
（作用）
以上の構成から成る実施例１の壁固定具１４の作用を、その使用によって防水パン１に壁パネル２を固定する手順等とともに説明する。壁固定具１４により、防水パン１に壁パネル２を位置決めして固定する際には、まず、壁固定具１４を防水パン１の立設部３に取り付ける。
【００３２】
そのために、壁固定具１４のスリット２４の中心又は左右いずれかの側縁を、防水パン１の立設部３に付されたケガキ線に合わせる。そして、図４および図５に示すように、壁固定具１４の床嵌合部１５を防水パン１の立設部３に嵌合して引っ掛ける。
【００３３】
このように、壁固定具１４を立設部３に引っ掛けると、挟持部１６から後方に延びる突張部４０は、防水パン１の立設部３の前面に当接し、尖った抜け止め部２５の上部は防水パン１の立設部３の後面に食い込む。
【００３４】
次に、防水パン１の立設部３に引っ掛けられた壁固定具１４に、壁パネル２を取り付ける。具体的には、壁パネル２を防水パン１の挟持部１６の上方に配置し、柱材８の後面壁１０の下端部を、挟持部１６の前壁３１の折り返し部３８と連結部１７の傾斜面３９との間に位置させる。
【００３５】
そして、図５（ａ）に示すように、柱材８の下端部を挟持部１６の前壁３１の折り返し部３８と連結部１７の傾斜面３９によって案内させながら柱材８を降ろしていき、壁固定具１４の挟持部１６の挟持スペース３４内に挿入し、図５（ｂ）に示すように、挟持部１６で挟み込んで保持する。これによって、壁パネル２は、壁固定具１４で下から受け止められてしっかりと保持される。
【００３６】
壁固定具１４の床嵌合部１５の前壁２３に、スリット２４を設けたので、その中心又は左右いずれかの側縁を、防水パン１の立設部３に付されたケガキ線を合わせることによって、立設部３に壁固定具１４を引っ掛けて固定する位置を簡単かつ正確に合わせることができ、その結果、壁固定具１４で固定される壁パネル２の位置も所定の位置に正確に取り付けることが可能となる。
【００３７】
床嵌合部１５の後壁２１に上部２６が尖った抜け止め部２５を上方に向けて前方に傾斜して設けたので、壁固定具１４の床嵌合部１５を防水パン１の立設部３に対して下方に押し込んで嵌合させることにより、抜け止め部２５の上部２６が防水パン１の立設部３の後面に食い込み、床嵌合部１５は防水パン１の立設部３しっかりと嵌合し、壁固定具１４が防水パン１の立設部３から抜け落ちるようなことが防止できる。
【００３８】
壁固定具１４は、挟持部１６の前壁３１には上方に向けて前方へ傾斜した折り返し部３８が形成されており、連結部１７には下方に向けて前方に傾斜面３９した傾斜面３９が形成されているので、壁パネル２の柱材８の後壁１０をその下端から壁固定具１４の挟持部１６内に挿入し挟み込む際に、折り返し部３８と傾斜面３９で案内されるので、作業が容易となる。
【００３９】
そして、床嵌合部１５を防水パン１の立設部３に引っ掛かけた状態では、挟持部１６から後方に延びる突張部４０は、防水パン１の立設部３の前面に当接する。これによって、先行技術における課題であった壁固定具１４の前後方向への移動やずれは抑制される。
【００４０】
（参考例）
本発明に係る壁固定具の参考例を図６および図７において、説明する。この参考例の壁固定具５０は、樹脂で一体成形されたものであり、その構成は実施例１の壁固定具１４と略同様である。
【００４１】
壁固定具５０は、実施例１の壁固定具１４と同様に、図６および図７に示すように、防水パン１の周縁に設けられた立設部３に引っ掛けて固定される床嵌合部５１と、壁パネル２の柱材８の後面壁１０を挟み込んで保持する挟持部５２と、床嵌合部５１と挟持部５２を繋ぐ連結部５３を備えている。床嵌合部５１の後壁５４は、立設部３の後面に食い込む抜け止め部５５が形成されている。
【００４２】
壁固定具５０は、図６および図７に示すように、挟持部５２の後壁５６から壁パネル２と反対方向である後方に向けて延びて、立設部３と当接する突張部６１を備えている。この参考例の突張部６１は、その後端部は、実施例１の突張部４０のように自由端ではなく、図７（ｂ）に示すように、床嵌合部５１の前壁６２に結合している点では構成は若干相違するが、立設部３に対して突っ張り、壁固定具５０の前後方向への移動やずれを抑制するという機能では同じである。 
【００４３】
壁固定具５０の作用、効果は、実施例１の壁固定具１４と同じである。壁パネル２を壁固定具５０で防水パン１に位置決めして固定する場合は、まず、図７（ａ）、（ｂ）に示すように、壁固定具５０を防水パン１の立設部３に取り付ける。
【００４４】
そして、壁パネル２を、その柱材８の下端部から、挟持部５２の前壁５７の上端側に形成された傾斜面５８と連結部５３に形成された傾斜面６３によって案内させながら降ろし、壁固定具５０の挟持部５２内に挿入し、挟み込んで保持する。このようにして、柱材８を壁固定具５０の挟持部５２で挟持すると、壁パネル２は、壁固定具５０で下から受け止められてしっかりと保持される。
【００４５】
なお、この参考例の壁固定具５０では実施例１の壁固定具１４のようにスリット２４は形成されていないが、予め床嵌合部５１の前壁６２の側面を防水パン１の立設部３に付したケガキ線に合わせるようにして、壁固定具５０を立設部３に取り付ける位置の位置決めをすればよい。
【００４６】
以上、本発明に係る固定具を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４７】
本発明に係る固定具は上記のような構成であるから、浴室の防水パンの周縁に壁パネルと取り付ける場合だけでなく、各種の施設における床の周縁に壁パネルを取り付ける場合等にも適用可能である。
【符号の説明】
【００４８】
１  防水パン                             
２  壁パネル                             
３  立設部                               
６  石膏ボード                           
７  金属板                               
８  壁パネルの柱材                       
９  柱材の中空部                         
１０  柱材の後面壁                       
１１  金属板の側端部                     
１４  壁固定具                           
１５  壁固定具の床嵌合部                 
１６  壁固定具の挟持部                   
１７  壁固定具の連結部                   
２１  床嵌合部の後壁                     
２２  床嵌合部の頂壁                     
２３  床嵌合部の前壁                     
２４  床嵌合部の前壁のスリット           
２５  床嵌合部の抜け止め部               
２６  床嵌合部の抜け止め部の上部         
３１  挟持部の前壁             
３２  挟持部の底壁             
３３  挟持部の後壁             
３４  挟持部の挟持スペース     
３８  挟持部の前壁の折り返し部           
３９  壁固定具の連結部の傾斜面           
４０  突張部                             
５０  壁固定具                           
５１  壁固定具の床嵌合部                           
５２  壁固定具の挟持部                             
５３  壁固定具の連結部
５４  床嵌合部の後壁
５５  床嵌合部の抜け止め部                             
５６  挟持部の後壁                       
５７  挟持部の前壁                       
５８  挟持部の前壁の傾斜面               
６１  突張部                             
６２  床嵌合部の前壁                     
６３  連結部の傾斜面                     
７０  従来の位置決め構造
７１  防水パンの載置部
７２  載置部の孔
７５  位置決め具
【図１】
0006496532.tif 000002
【図２】
0006496532.tif 000003
【図３】
0006496532.tif 000004
【図４】
0006496532.tif 000005
【図５】
0006496532.tif 000006
【図６】
0006496532.tif 000007
【図７】
0006496532.tif 000008
【図８】
0006496532.tif 000009